(57)【要約】【課題】展示物を良好に照明できる展示台を提供する。【解決手段】展示台に光拡散手段４１と距離を設けて発光部４２を配置し、発光部４２には、複数の面状発光体４２３Ａを目地部４２５を設けて配置する。そして、隣接する面状発光体４２３Ａからそれぞれ放射される出射光が光拡散手段４１に達する前に互いに重なり合うようにする。従って、発光部４２に目地部４２５が生じる場合でも、放射される出射光が光拡散手段４１に全体的に入射する。よって、この目地部４２５における照明光の光量が低下してしまうことを抑制して、展示物２をムラなく良好に照明できる。【選択図】図２
2012089459.tif 000002
【特許請求の範囲】
【請求項１】
有機エレクトロルミネセンス素子により構成される面状発光体を用いて展示物を照明する展示台であって、
前記展示物が載置される載置台と、
この載置台の下方から前記展示物を照射する照明装置とを備え、
前記照明装置は、前記載置台に設けられる光拡散手段と、この光拡散手段と距離を設けて配置され、複数の前記面状発光体を目地部を設けて配置する発光部とを有し、
隣接する前記面状発光体からそれぞれ放射される出射光は、前記光拡散手段に達する前に互いに重なり合う
ことを特徴とする展示台。
【請求項２】
請求項１に記載の展示台において、
前記隣接する面状発光体間の目地部の間隔をｄ、前記面状発光体の端部における出射光の出射方向に対する拡がり角度をθ、前記光拡散手段及び前記発光部間の距離をＬとしたとき、以下の関係式（数１）が成り立つ
ことを特徴とする展示台。
Ｌ・ｔａｎθ≧（ｄ／２）・・・（数１）
【請求項３】
請求項１又は２に記載の展示台において、
前記光拡散手段のヘイズ値は、４０％以上１００％以下である
ことを特徴とする展示台。
【請求項４】
請求項１から請求項３までのいずれか一項に記載の展示台において、
前記光拡散手段は、一対の透明基板と、これら一対の透明基板間に介装される抄造紙とを有する
ことを特徴とする展示台。
【請求項５】
請求項１から請求項４までのいずれか一項に記載の展示台において、
前記発光部の出射光による照明方向と異なる方向から前記展示物を照射する第二の照明装置を備え、
この第二の照明装置は、前記面状発光体を有する第二の発光部を備える
ことを特徴とする展示台。
【請求項６】
請求項５に記載の展示台において、
前記載置台上には、前記展示物の側面及び上面を覆う透明ケースが設けられ、
前記第二の照明装置は、この透明ケースに設けられる
ことを特徴とする展示台。
【発明の詳細な説明】
【技術分野】
【０００１】
本発明は、展示台に関する。
【背景技術】
【０００２】
従来、有機エレクトロルミネセンス素子（以下、「有機ＥＬ素子」と略記する場合がある。）を用いた面状の発光部により、室内などを照明する照明装置が知られている。
例えば、特許文献１に記載の照明装置は、発光部の光出射面に密着して配置される拡散板を有する。発光部は拡散板を通して光を照射する。
特許文献２に記載の照明装置は、発光部が複数の面状発光体により構成される。面状発光体は、隙間を設けて複数配置される。
【先行技術文献】
【特許文献】
【０００３】
【特許文献１】特開２００５−３５３５２６号公報
【特許文献２】特開２００９−２０６０２９号公報
【発明の概要】
【発明が解決しようとする課題】
【０００４】
ところで、特許文献１，２に記載の照明装置を展示台に採用する場合、展示台の下側から展示物を良好に照明するためには、大判の発光部が必要になる。しかし、現状の有機ＥＬ素子により構成される面状発光体単体では、大きさに限界がある。そのため、大判の発光部とするためには、複数の小さなサイズの面状発光体を組み合わせて大判の発光部を構成する必要がある。
しかし、面状発光体を複数組み合わせた場合、面状発光体間に目地部が生じ、この目地部における照明光の光量が低下してしまうため、照明光にムラが生じ、展示物を良好に照明できないという問題がある。
【０００５】
本発明の目的は、展示物を良好に照明できる展示台を提供することである。
【課題を解決するための手段】
【０００６】
本発明の展示台は、有機エレクトロルミネセンス素子により構成される面状発光体を用いて展示物を照明する展示台であって、前記展示物が載置される載置台と、この載置台の下方から前記展示物を照射する照明装置とを備え、前記照明装置は、前記載置台に設けられる光拡散手段と、この光拡散手段と距離を設けて配置され、複数の前記面状発光体を目地部を設けて配置する発光部とを有し、隣接する前記面状発光体からそれぞれ放射される出射光は、前記光拡散手段に達する前に互いに重なり合うことを特徴とする。
【０００７】
この発明によれば、光拡散手段と面状発光体との間に距離を設けるため、隣接する発光部から放射される出射光が光拡散手段に達する前に互いに重なり合う。従って、大判の発光部とする場合に、発光部に目地部が生じた場合でも、放射される出射光が光拡散手段に全体的に入射するため、光拡散手段に目地部の影が生じることがない。よって、この目地部における照明光の光量が低下してしまうことを抑制して、展示物をムラなく良好に照明できる。
さらに、本発明では、面状発光体を有機ＥＬ素子により構成するため、面状発光体を薄型にすることができるので、熱を逃がしやすい。
【０００８】
本発明の展示台において、前記隣接する面状発光体間の目地部の間隔をｄ、前記面状発光体の端部における出射光の出射方向に対する拡がり角度をθ、前記光拡散手段及び前記発光部間の距離をＬとしたとき、以下の関係式（数１）が成り立つことが好ましい。
【０００９】
Ｌ・ｔａｎθ≧（ｄ／２）・・・（数１）
【００１０】
ここで、拡がり角度（θ）とは、面状発光体の端部における出射光の出射方向と、面状発光体の光の出射面における法線とのなす角度（°）であり、以下の［１］から［３］までで得られる角度（°）と定義する。
【００１１】
［１］面状発光体の端部において、面状発光体の光の出射面における法線方向から、面状発光体の外側に向かって傾いた角度ｘ（°）方向から測定した放射輝度をI（ｘ）とする。
［２］次に、法線方向（ｘ＝０）から角度ｘ（°）までの円錐に含まれる放射強度の積分値をＳ（ｘ）とし、Ｓ（ｘ）を次の式（数２）から算出する。
【００１２】
【数１】
2012089459.tif 000003
【００１３】
［３］このとき、Ｓ（θ）＝（１／２）×Ｓ（９０°）を満たす角度（°）を、拡がり角度（θ）と定義する。
【００１４】
この発明によれば、隣接する面状発光体から放射される出射光は、それぞれ略同等の光量分布を有すると考えられるため、拡がり角度（θ）は各面状発光体において同等である。
そのため、各面状発光体から放射される出射光は、発光部から光拡散手段に向かう方向で「（ｄ／２）／ｔａｎθ」にて求められる距離が離れた位置で互いに重なり合う。
従って、上記関係式（数１）を満たす場合、すなわち、距離（Ｌ）を「（ｄ／２）／ｔａｎθ」で求められる距離以上とする場合、隣接する面状発光体から放射される出射光を互いに重ね合わせることができる。
そして、面状発光体の端部における出射光は、面状発光体の中央部における出射光よりも光量が少ないが、隣接する面状発光体の端部における出射光が互いに重なり合うため、光拡散手段全体に達する光の光量を略均一にすることができる。従って、展示物をムラなく良好に照明できる。
【００１５】
本発明の展示台において、前記光拡散手段のヘイズ値は、４０％以上１００％以下であることが好ましい。
この発明によれば、面状発光体の出射光は面光束であるため、ヘイズ値を小さくしても、展示物を良好に照明できる。
【００１６】
本発明の展示台において、前記光拡散手段は、一対の透明基板と、これら一対の透明基板間に介装される抄造紙とを有することが好ましい。
この発明によれば、面状発光体の出射光は面光束であるため、抄造紙でも拡散効果を得ることができる。また、一対の透明基板間に抄造紙を介装するため、光拡散手段として例えば、アクリル板を用いる場合と比較して、光拡散手段の軽量化を図りつつ光拡散効果を得ることができる。
【００１７】
本発明の展示台において、前記発光部の出射光による照明方向と異なる方向から前記展示物を照射する第二の照明装置を備え、この第二の照明装置は、前記面状発光体を有する第二の発光部を備えることが好ましい。
この発明によれば、下方に加えて、展示物の上方や側方から展示物を照射できるため、展示物を全体的に照明できる。
また、第二の照明装置が面状発光体を有するため、薄型にすることができ、第二の照明装置を展示物の上方や側方に容易に配置できる。また、第二の面状発光体は、面状に発光するため展示物に影が生じることなく、均一に照明できる。
【００１８】
本発明の展示台において、前記載置台上には、前記展示物の側面及び上面を覆う透明ケースが設けられ、前記第二の照明装置は、この透明ケースに設けられることが好ましい。
この発明によれば、第二の照明装置の面状発光体を薄型にすることができるため、第二の照明装置の設置スペースがほとんど必要ない。従って、透明ケースの上面や側面に第二の照明装置を設置しても目立たず、展示台としての外観がさらに向上する。
【図面の簡単な説明】
【００１９】
【図１】本発明の第１実施形態に係る展示台を示す斜視図。
【図２】第１実施形態の展示台に配置される光拡散手段と発光部との位置関係を示す断面図。
【図３】図３における光拡散手段と発光部との位置関係を拡大して示す断面図。
【図４】第１実施形態の発光部において、複数の面状発光体を組み合わせた状態を示す平面図。
【図５】本発明の第２実施形態に係る展示台を示す斜視図。
【図６】他の実施形態に係る光拡散手段と発光部との位置関係を示す断面図。
【発明を実施するための形態】
【００２０】
［第１実施形態］
以下、本発明の第１実施形態を図面に基づいて説明する。
図１に示すように、本実施形態に係る展示台１は、美術館において、美術品などの展示物２を展示するためのものである。展示台１は、暗室環境下で好適に用いられる。
展示台１は、展示物２が載置される箱状の載置台３と、載置台３に配置される照明装置４と、載置台３の上側に取り付けられ展示物２を収納する透明ケース５と、透明ケース５の上側に設けられる第二の照明装置６とを備える。
載置台３は、基台３１と、基台３１に固定される４本の支柱３２と、これら４本の支柱３２の上端部に固定される矩形状の枠体３３とを有する。
枠体３３の内側には、光拡散手段４１が嵌め込まれており、この光拡散手段４１には展示物２が載置される。
載置台３の左右側面（図１の左右側の面）及び背面（図１の奥側の面）には、互いに隣接する２本の支柱３２に亘って化粧板３４がそれぞれ貼り付けられる。
載置台３の前面（図１の手前側の面）には、前面側の片方の支柱３２にヒンジ３５を設けて扉３６が取り付けられる。この扉３６により載置台３の前面が開閉する。そして、この扉３６を閉じることにより、載置台３の内部に設置される発光部４２などが外部から見えないようになっている。
また、載置台３の左右側面には、一対の交差した補強部材３７が支柱３２に取り付けられる。一対の補強部材３７には、地震などによる振動を抑制する振動抑制部材３８が取り付けられる。
【００２１】
照明装置４は、図１，２に示すように、展示物２を下側から照射するためのものであり、半透明の光拡散手段４１と、光拡散手段４１の下側に距離を設けて配置される発光部４２と、発光部４２を支持する支持台４３と、発光部４２の高さ位置を調整する高さ調整手段４４とを有する。
光拡散手段４１は、一対の透明基板４１１と、これら一対の透明基板４１１間に介装される抄造紙４１２とを有する。
抄造紙４１２としては、例えば、トレーシングペーパー、障子紙などが挙げられる。
光拡散手段４１のヘイズ値は、４０％以上１００％以下であることが好ましく、さらに好ましくは、６０％以上９５％以下である。
光拡散手段４１のヘイズ値が９５％以下という小さい場合でも、有機ＥＬ素子により構成される面状発光体４２３Ａを用いるため、十分に光拡散効果を発揮できる。なお、ヘイズ値が４０％未満では、十分な光拡散効果が得られないおそれがある。また、抄造紙４１２に限らず、光拡散フィルム、光拡散シートでも良い。
光拡散手段４１は、発光部４２の出射光を受光して全体的に明るくなり、展示物２を照明する。
【００２２】
発光部４２は、図２から図４までに示すように、光拡散手段４１に向けて光を出射するものであり、光拡散手段４１の下方に距離を設けて配置されるパネル収納部４２１と、パネル収納部４２１に収納される基板４２２及び発光パネル４２３とを有する。
パネル収納部４２１は、凹部４２１Ａを有し、この凹部４２１Ａの内部に基板４２２及び発光パネル４２３が４つ配置される。これらの基板４２２及び発光パネル４２３は、互いに隙間４２４を設けて配置される。
発光パネル４２３は、基板４２２上に形成されており、光拡散手段４１と略平行に配置される。発光パネル４２３は、有機ＥＬ素子により構成される平板状の面状発光体４２３Ａと、面状発光体４２３Ａを囲む額縁部４２３Ｂとを有する。
面状発光体４２３Ａの有機ＥＬ素子は、陽極、陰極、発光層などにより形成される。
額縁部４２３Ｂは、有機ＥＬ素子に対して電気的信号の送受信を行う配線や、有機ＥＬ素子を封止する封止部材などを有する。
隣接する面状発光体４２３Ａ間には、額縁部４２３Ｂと各発光パネル４２３間の隙間４２４とにより、発光しない目地部４２５が形成される。すなわち、発光部４２には、４つの面状発光体４２３Ａが目地部４２５を設けて配置される。
【００２３】
支持台４３は、図１に示すように、発光部４２を支持する第二の支柱４３１と、発光部４２の下側に間隔を設けて配置される支持板４３２とを有する。支持板４３２の上面には、高さ調整手段４４が固定されており、高さ調整手段４４のハンドルを回すことにより、発光部４２を上下に移動させることができる。これにより、光拡散手段４１と発光部４２との距離を調整できる。また、支持板４３２は、第二の支柱４３１に沿って上下に高さ位置を調整することができ、これにより、発光部４２及び高さ調整手段４４の高さ位置を調整することもできる。
なお、載置台３の底部には、図示しないが、面状発光体４２３Ａから出射される光の光量を調整するための制御装置が設けられる。
【００２４】
透明ケース５は、展示物２の側面及び上面を覆うものであり、下向きに開口した直方体形状である。透明ケース５の内部には、展示物２が収納される展示室５１が形成される。
透明ケース５は、４つの角部に配置される第三の支柱５２と、互いに隣接する第三の支柱５２間に配置される４枚のガラス板５３と、第三の支柱５２の上端部側の開口を塞ぐ天板ガラス５４とを有する。
【００２５】
第二の照明装置６は、天板ガラス５４の上側、すなわち展示室５１と反対側に密着して配置されており、天板ガラス５４と同様に矩形状である。第二の照明装置６は、発光パネル４２３と同様の第二の発光パネル６１１を有する第二の発光部６１を備える。
すなわち、第二の発光パネル６１１は、面状発光体４２３Ａと同様に、有機ＥＬ素子により構成される第二の面状発光体を有する。この第二の面状発光体は、面状発光体４２３Ａよりも小さく形成されている。そして、第二の発光パネル６１１は、第二の照明装置６の４辺に沿って互いに隙間を設けて８つ配置される。これらの第二の発光パネル６１１は、それぞれ薄く、厚みが５ｍｍ程度である。この第二の発光パネル６１１は、展示物２への照明度合いに応じて、その大きさ、数が設定される。
また、第二の発光パネル６１１は、第３の支柱５２の内部を通る配線によって、載置台３の底部に配置される制御装置と電気的に接続される。
【００２６】
展示物２は、下部が径縮した形状の壷などである。展示物２の下部には、模様が形成されている。展示物２の模様は、光拡散手段４１から出射される発光部４２の拡散光により照明され、展示物２の上部及び側部は第二の発光部６１により照明される。
【００２７】
次に、光拡散手段４１と発光部４２との位置関係を説明する。
図３に示すように、発光部４２は、それぞれの面状発光体４２３Ａから光拡散手段４１に向けて光を放射する。
ここで、互いに隣接する面状発光体４２３Ａからそれぞれ出射される出射光は、その光量分布が同じであると考えられる。そのため、各面状発光体４２３Ａの端部における出射光は、その出射方向に対する拡がり角度（θ）も互いに等しくなる。なお、拡がり角度（θ）とは、面状発光体４２３Ａの端部における出射光の出射方向と、面状発光体４２３Ａの光の出射面における法線とのなす角度（°）であり、以下の［１］から［３］までで得られる角度（°）と定義する。
【００２８】
［１］面状発光体４２３Ａの端部において、面状発光体４２３Ａの光の出射面における法線方向から、面状発光体４２３Ａの外側に向かって傾いた角度ｘ（°）方向から測定した放射輝度をI（ｘ）とする。
［２］次に、法線方向（ｘ＝０）から角度ｘ（°）までの円錐に含まれる放射強度の積分値をＳ（ｘ）とし、Ｓ（ｘ）を次の式（数３）から算出する。
【００２９】
【数２】
2012089459.tif 000004
【００３０】
［３］このとき、Ｓ（θ）＝（１／２）×Ｓ（９０°）を満たす角度（°）を、拡がり角度（θ）であると定義する。
【００３１】
そして、隣接する面状発光体４２３Ａ間の目地部４２５の間隔をｄとするとき、各出射光は、各面状発光体４２３Ａの出射面を繋ぐ仮想延長面Ｓから光拡散手段４１に向かう方向で「（ｄ／２）／ｔａｎθ」にて求められる距離が離れた位置で互いに重なり合う。
従って、光拡散手段４１及び発光部４２間の距離をＬとするとき、以下の関係式（数４）が成り立つ場合、面状発光体４２３Ａから放射される出射光が互いに重なり合う。
【００３２】
Ｌ・ｔａｎθ≧（ｄ／２）・・・（数４）
【００３３】
また、面状発光体４２３Ａの端部における出射光は、面状発光体４２３Ａの中央部における出射光よりも光量が少ない。しかし、面状発光体４２３Ａの端部における出射光が、面状発光体４２３Ａの中央部における出射光の光量の略半分である場合、出射光を互いに重ね合わせることにより、目地部４２５に対応する位置において、面状発光体４２３Ａの中央部における出射光と略同等の光量とすることができる。
よって、目地部４２５に対応する位置における光量が増加し、光拡散手段４１全体に達する光の光量が略均一になる。
【００３４】
（第１実施形態の効果）
本実施形態の展示台１では、光拡散手段４１と距離を設けて発光部４２を配置し、発光部４２には、複数の面状発光体４２３Ａを目地部４２５を設けて配置する。そして、隣接する面状発光体４２３Ａからそれぞれ放射される出射光が光拡散手段４１に達する前に互いに重なり合うようにする。
従って、発光部４２に目地部４２５が生じる場合でも、放射される出射光が光拡散手段４１に全体的に入射する。よって、この目地部４２５における照明光の光量が低下してしまうことを抑制して、展示物２をムラなく良好に照明できる。特に、暗室環境下では、展示物２の下部が見えにくいが、展示台１によれば、展示物２を下側からムラ無く照明できるため、展示物２の下部を良好に視認できる。
さらに、面状発光体４２３Ａが有機ＥＬ素子により構成されるため、面状発光体４２３Ａを薄型にすることができ、熱を逃がしやすく展示物２に悪影響を及ぼすことを防止できる。そして、発光部４２に面状発光体４２３Ａを用いるため、ギラギラ感が無く、展示物２が見やすくなる。
【００３５】
また、目地部４２５の間隔（ｄ）と、面状発光体４２３Ａの端部における出射光の拡がり角度（θ）と、光拡散手段４１及び発光部４２間の距離（Ｌ）とが上記式（数４）で表される関係となる。
従って、隣接する面状発光体４２３Ａから放射される出射光を、光拡散手段４１に達する前に互いに重ね合わせることができる。
また、各面状発光体４２３Ａの端部における出射光が互いに重なり合うため、光拡散手段４１全体に達する光の光量を略均一にすることができる。従って、展示物２をムラなく良好に照明できる。
【００３６】
さらに、光拡散手段４１のヘイズ値が４０％以上１００％以下であるが、面状発光体４２３Ａの出射光は面光束であるため、ヘイズ値が小さい場合でも、展示物２を良好に照明できる。
また、光拡散手段４１は、面状に発光するため、抄造紙４１２を用いても光拡散効果を得ることができ、軽量化も図れる。
【００３７】
そして、展示物２を上方から照明し、第二の面状発光体を有する第二の照明装置６を設ける。
従って、第二の照明装置６が有機ＥＬ素子により構成される第二の面状発光体を有するため、薄型化でき、第二の照明装置６を展示物２の上方に容易に設置できる。また、展示物２の下方の照明装置４と上方の第二の照明装置６とにより、展示物２を全体的に照明できる。そして、第二の面状発光体は、面状に発光するため展示物２に影が生じることなく、均一に照明できる。また、第二の面状発光体は面状であるため、放熱性に優れ、展示物２に悪影響を及ぼすことを防止できる。
【００３８】
また、載置台３上には、展示物２の側面及び上面を覆う透明ケース５を設け、この透明ケース５に第二の照明装置６を設ける。
従って、第二の照明装置６の第二の面状発光体を薄くできるため、透明ケース５の上部に第二の照明装置６が設置されていても目立たず、展示台１としての外観がさらに向上する。
そして、天板ガラス５４の展示室５１と反対側に第二の照明装置６を配置するため、展示室５１内の空気が熱くなり、展示物２に悪影響を与えることを抑制できる。
【００３９】
［第２実施形態］
本発明の第２実施形態では、照明装置４が高さ調整手段を有さない以外は第１実施形態と同様である。
すなわち、第２実施形態の照明装置４では、図５に示すように、発光部４２の高さが固定されている。
この場合、間隔（ｄ）と、拡がり角度（θ）と、光拡散手段４１及び発光部４２間の距離（Ｌ）とが、上記式（数４）の式を満たすものが好ましい。
第２実施形態によれば、例えば、展示台１の設置後に発光部４２の高さを調整する必要なく、上記の第１実施形態と同様の効果が得られる。
【００４０】
（実施形態の変形）
尚、本発明は、前述した実施形態に限定されるものではなく、以下に示すような変形をも含むものである。
すなわち、前記実施形態では、光拡散手段として一対の透明基板間に抄造紙を介装する構成を説明したが、光拡散効果を有するアクリル板などでもよい。
また、面状発光体は光拡散手段と略平行である構成を例示したがこれに限られない。例えば、図６に示すように、面状発光体４２３Ａは光拡散手段４１に対して斜めとなるように配置されていてもよい。この場合、例えば、展示物２Ａの下部のうちの一部（図６では左側）に模様が形成されている場合、その模様に集中的に照明できる。
そして、本実施形態に係る展示台は、美術館において、美術品などの展示物を展示するためのものであると説明したが、展示台は、博物館、資料館、ストアなどにおいて、遺物、資料、商品などを展示するためのものでもよい。
【産業上の利用可能性】
【００４１】
本発明の展示台は、美術館、博物館、資料館、ストアなどに設置することができる。
【符号の説明】
【００４２】
１        展示台
２，２Ａ  展示物
３        載置台
４        照明装置
５        透明ケース
６        第二の照明装置
４１      光拡散手段
４２      発光部
６１      第二の発光部
４１１    透明基板
４１２    抄造紙
４２３Ａ  面状発光体
４２５    目地部
【図１】
2012089459.tif 000005
【図２】
2012089459.tif 000006
【図３】
2012089459.tif 000007
【図４】
2012089459.tif 000008
【図５】
2012089459.tif 000009
【図６】
2012089459.tif 000010